(57)【特許請求の範囲】
【請求項１】
基地局と通信が行えるエリアの外における携帯電話端末の消費電力を低減する方法であって、
当該エリアの外において、使用者から通信機能の停止を要求する指示が入力されると、通信機能の停止処理を行うと共に、通信機能以外の機能は使用可能としたまま、電源から無線部への電力供給を停止することにより通信機能を停止することで、通信用接続情報の送信を行わないようにし、通信停止時には、表示部において、基地局からの受信レベルの表示位置に通信停止中を示すアイコンを表示し、手帳／時計切り替えキーによって選択された電子手帳又は時計のデータを表示することを特徴とする基地局と通信が行えるエリアの外における携帯電話端末の消費電力を低減する方法。
【発明の詳細な説明】
【技術分野】
【０００１】
本発明は、携帯電話端末の消費電力を低減する方法に係り、特に、基地局と通信が行えるエリアの外における携帯電話端末の消費電力を低減する方法に関する。
【背景技術】
【０００２】
まず、従来の携帯電話端末について図７を使って説明する。図７は、従来の携帯電話端末の構成ブロック図である。
図７に示すように、従来の携帯電話端末は、無線信号の送受信を行うアンテナ１と、送信データを無線信号に変換し、受信した無線信号をデータに変換する無線部２と、送信音声データを特定のデータ列に変換して無線部２に出力し、無線部２からの受信データ列を音声データに変換するベースバンド処理部３と、装置全体の制御をプログラムコードに基づいて行う中央処理装置（ＣＰＵ）４と、プログラムコードや電話帳データを記憶する記憶部５と、使用者がデータを入力する入力部６と、電話番号等のデータを表示する表示部７と、音響信号（音声）を音声電気信号に変換するマイク８と、音声電気信号を音響信号に変換するスピーカ９と、中央処理装置４からの指示に従って電気回路全体を制御する制御部１０と、電力源としてのバッテリ１１と、バッテリ１１から各構成部分への電力供給を制御する電源制御部１２とから構成されている。
【０００３】
また、入力部６には、数字等を入力する基本機能キー（ダイヤルに相当）や、オフフック、オンフック等の特定機能の入力用として複数の特定機能キーが設けられている。尚、図７において、実線は電気信号線を示しており、破線は電源制御部１２から電気回路の各構成部分に電源を供給する電源線を示している。電源線は、無線部電源２０、ベースバンド部電源２１、制御部電源２２、中央処理装置電源２３、記憶部電源２４、入力部電源２５、表示部電源２６である。
【０００４】
次に、上記従来の携帯電話端末における動作について図７を用いて説明する。まず、携帯電話端末がスタンバイしている状態で、入力部６の電源投入キー（図示せず）の押下等により起動の指示が入力されると、制御部１０が電源制御部１２に電力供給の指示を出力し、バッテリ１１の電力が電源制御部１２により、電源線２０〜２６を介して各構成部分に供給される。そして、中央処理装置（ＣＰＵ）４は、記憶部（メモリ）５からプログラムコードを読み出し、そのコードに従って、携帯電話端末全体の制御を行うよう動作を開始する。
【０００５】
ここで、中央処理装置４は、制御部１０と無線部２及びアンテナ１を介して、エリアをカバーする基地局と通信用接続情報のやり取りを定期的に行っており、着信や発信等の要求に応えられるようにしている。通信用接続情報としては、無線チャネルの設定、維持、切り替え等を行う無線管理機能、位置登録、認証を行う移動管理機能、発呼切断等の呼制御機能があり、携帯電話端末と基地局との間で制御信号シーケンスを用いて定期的に交信しているものである。
【０００６】
そして、従来の携帯電話端末と基地局との間で行われる通信用接続情報の交信は、使用者の要求で停止することはできなかった。
【０００７】
そのため、従来は、無線信号の発着信を禁止されている場所、例えば病院や飛行機等において携帯電話端末を所持している場合は、使用者は、入力部６の電源切キーの押下等により携帯電話端末全体を停止させる必要があった。
【０００８】
従来の携帯電話端末では、入力部６の電源切キーが押下されると、制御部１０を介して中央処理装置４にそのデータが入力され、中央処理装置４が制御部１０に対して電源停止命令を出力し、それを受けた制御部１０が電源制御部１２に全電源線２０〜２６の停止指示を出力し、電源制御部１２が全電源線２０〜２６への電力供給を停止することにより、装置全体の機能が停止するようになっている。
【発明の概要】
【発明が解決しようとする課題】
【０００９】
しかしながら、上記従来の携帯電話端末では、病院や飛行機等の携帯電話での通信が禁止されている場所では、携帯電話端末全体の電源を切らなければならず、通信機能とは無関係の電話帳や電子手帳機能等も使えなくなってしまい、不便であるという問題点があった。
【００１０】
また、上記従来の携帯電話端末では、基地局のあるエリアから相当離れた場所においても基地局との通信用接続情報の交信を試みるため、無線部２及びベースバンド処理部３を定期的に動作させなければならず、無駄な電力を消費してしまうという問題点があった。
【００１１】
本発明は上記実情に鑑みて為されたもので、基地局と通信が行えるエリアの外における携帯電話端末の無駄な電力消費を防ぐことができる携帯電話端末の消費電力を低減する方法を提供することを目的とする。
【課題を解決するための手段】
【００１２】
上記従来例の問題点を解決するための本発明は、基地局と通信が行えるエリアの外における携帯電話端末の消費電力を低減する方法であって、当該エリアの外において、使用者から通信機能の停止を要求する指示が入力されると、通信機能の停止処理を行うと共に、通信機能以外の機能は使用可能としたまま、電源から無線部への電力供給を停止することにより通信機能を停止することで、通信用接続情報の送信を行わないようにすることを特徴とする。
【発明の効果】
【００１３】
本発明によれば、基地局と通信が行えるエリアの外において、使用者から通信機能の停止を要求する指示が入力されると、通信機能の停止処理を行うと共に、通信機能以外の機能は使用可能としたまま、電源から無線部への電力供給を停止することにより通信機能を停止することで、通信用接続情報の送信を行わないようにする携帯電話端末の消費電力を低減する方法としているので、エリア外における携帯電話端末の無駄な電力消費を防ぐことができることができる効果がある。
【図面の簡単な説明】
【００１４】
【図１】本発明の実施の形態に係る携帯電話端末（本装置）の構成ブロック図である。
【図２】本装置の外観説明図である。
【図３】本装置の通信機能停止シーケンスを示す説明図である。
【図４】通信機能停止時の表示画面例を示す説明図である。
【図５】通信停止キー６ｄに描かれているイラストの拡大説明図である。
【図６】本発明の実施の形態に係る別の携帯電話端末の動作を示す説明図である。
【図７】従来の携帯電話端末の構成ブロック図である。
【発明を実施するための形態】
【００１５】
本発明の実施の形態について図面を参照しながら説明する。
本発明の実施の形態に係る携帯電話端末は、使用者の要求により、無線部及びベースバンド処理部を停止できるようにしており、無線信号の発着信が禁止されている場所においては通信機能のみを停止させ、電話番号帳、電子手帳、時計等の通信とは無関係の機能を使用できるようにして利便性を向上させ、また、エリア外における消費電力を低減することができるものである。
【００１６】
まず、本発明の実施の形態に係る携帯電話端末の構成について図１を用いて説明する。図１は、本発明の実施の形態に係る携帯電話端末（本装置）の構成ブロック図である。
図１に示すように、本装置の基本的な構成は、図７に示した従来の携帯電話端末とほぼ同様であり、従来と同様の部分としてアンテナ１と、無線部２と、ベースバンド処理部３と、表示部７と、マイク８と、スピーカ９と、バッテリ１１と、電源制御部１２とを備え、本装置の特徴部分として停止認識部１３が新たに設けられている。また、入力部６と、中央処理装置４と、記憶部５と、制御部１０は従来とは一部構成又は処理が異なっている。
【００１７】
本装置の特徴部分について図１を用いて説明する。まず、停止認識部１３は、入力部６の特定キーが押下された場合に、入力信号を受けて通信機能の停止を要求する停止要求信号を制御部１０に出力するものである。
【００１８】
そして、制御部１０は、停止認識部１３からの停止要求信号を受けて、中央処理装置４に通信機能の停止処理に移行するよう、中央処理装置４が認識できる形の停止要求フラグ又は割り込み信号を出力するものである。更に、制御部１０は、中央処理装置４からの指示に従って、電源制御部１２に対して無線部２及びベースバンド処理部３への電力供給を停止する制御を行うものである。
【００１９】
そして、中央処理装置４は、制御部１０からの停止要求フラグを受けて、通信機能の停止処理を行うものである。具体的には、中央処理装置４は、制御部１０に対して、無線部２及びベースバンド処理部３への電力供給を停止する指示を出力するものである。
【００２０】
また、記憶部５は、従来と同様のプログラムコードや電話帳データ及び電子手帳データの他に、通信機能の停止処理を行うためのプログラムコードを記憶しているものである。
【００２１】
次に、本装置の外観について図２を用いて説明する。図２は、本装置の外観説明図である。
図２に示すように、本装置の上部にはアンテナ１が設けられ、前面部分には、従来と同様のスピーカ９と、マイク８と、入力部６として従来と同様の基本機能キー６ａと、特定機能キーとしてオフフックキー６ｂ及びオンフックキー６ｃ及び本装置の特徴部分である通信停止キー６ｄと、手帳／時計切り替えキー６ｅとが設けられている。
【００２２】
本装置の特徴部分である通信停止キー６ｄは、特定機能キーの一種で、使用者が通信機能の停止指示を入力するキーであり、このキーが押下されると携帯電話端末の通信機能が停止するようになっている。具体的には、通信停止キー６ｄが押下されると、無線部２及びベースバンド処理部３への電力供給が停止して、通信機能が停止する。通信停止キー６ｄには、使用者が機能を認識しやすいようなイラストが描かれている。
【００２３】
また、手帳／時計切り替えキー６ｅは、通信機能が停止している状態において電子手帳機能（電話帳機能を含む）と、時計機能とを切り替えるものである。
【００２４】
次に、本装置の動作について図３を用いて説明する。図３は、本装置の通信機能停止制御シーケンスを示す説明図である。
図３に示すように、まず、使用者が入力部６の通信停止キー６ｄを押下すると（１００）、入力部６の通信停止キー６ｄから停止認識部１３に対して予め定められた信号が出力され（１０１）、停止認識部１３が該信号を受信すると通信機能の停止指示を認識して制御部１０に対して停止要求信号を出力する。
【００２５】
そして、制御部１０が、中央処理装置４に対して停止要求フラグを出力し（１０３）、中央処理装置４は、これを受けて、割り込み処理として通信機能の停止処理を開始し、制御部１０に対して無線部２及びベースバンド処理部３への電力供給を停止するよう、電源停止命令を発行する（１０４）。
【００２６】
そして、制御部１０は、中央処理装置４からの電源停止命令を受けて電源制御部１２に対して無線部２及びベースバンド処理部３への電力供給を停止するよう、つまり無線部電源２０及びベースバンド部電源２１を停止するよう電源停止制御を行う（１０５）。
【００２７】
そして、電源制御部１２が、制御部１０からの電源停止制御を受けて無線部電源２０及びベースバンド部電源２１を停止することにより、無線部２及びベースバンド処理部３への電力供給を停止する（１０６、１０７）。尚、ここで１０６と１０７の動作は順序が逆でも構わない。
【００２８】
更に、中央処理装置４が、通信機能の停止処理として、制御部１０に対して電源停止表示命令を発行し（１０８）、制御部１０が、表示部７に対して電源停止表示制御を行う（１０９）。具体的には、制御部１０は、記憶部５から通信機能停止中を示すアイコンの表示データを読み出して表示部７に出力する。そして、表示部７が、電源停止表示として、通信機能停止中を示すアイコンを表示し（１１０）、使用者は停止表示を見て通信機能が停止したことを認識するものである。
【００２９】
これにより本装置では、使用者の意志によって随時通信機能を停止させることができるようになり、携帯電話による通信禁止の場所においても通信機能のみを停止すれば電話帳や時計等の通信とは無関係の機能は使うことができ、利便性を向上させることができるものである。
【００３０】
次に、本装置の表示例について図４を用いて説明する。図４は、通信機能停止時の表示画面例を示す説明図である。
図４に示すように、通信機能停止中には、基地局からの受信レベルの表示位置に、通信機能停止中を示すアイコンを表示するようになっている。このアイコンは、上述した通信停止キー６ｄに描かれているイラストと同じ図柄である。そして、バッテリ残量や通信機能停止アイコンの他に、手帳／時計切り替えキー６ｅによって選択された電子手帳又は時計のデータを表示する。ここでは電子手帳の中の電話帳のデータを表示している。
【００３１】
また、手帳／時計切り替えキー６ｅによって時計表示が選択された場合には、現在日時を表示するものである。
【００３２】
更に、入力部６の通信停止キー６ｄのイラストについて図５を用いて説明する。図５は、通信停止キー６ｄに描かれているイラストの拡大説明図である。
図５に示すように、通信停止キー６ｄには使用者が直感的に「通信機能停止」が分かるようなイラストを描くのが望ましく、例えば、図５の例では、電波が手のひらで遮られ、はね返されているようなイラストとなっている。
【００３３】
本発明の実施の形態に係る携帯電話端末（本装置）によれば、使用者が通信機能の停止指示を入力する通信停止キー６ｂと、通信停止キー６ｂからの信号を通信停止要求に変換して制御部１０に出力する停止認識部１３とを備え、制御部１０が、停止認識部１３からの通信停止要求をフラグに変換して中央処理装置に出力し、中央処理装置４が、制御部１０に対して無線部２及びベースバンド処理部３への電力供給を停止するよう指示を出力し、制御部１０が、中央処理装置からの指示に従って、電源制御部１２を介して無線部２及びベースバンド処理部３への電源供給を停止させるようにしているので、装置全体の電源を切らずに通信機能のみを停止させることができ、携帯電話端末による通信が禁止されている場所等においても、通信とは無関係の電話帳や時計等の機能はそのまま用いることができ、利便性を向上させることができる効果がある。
【００３４】
また、本装置によれば、使用者の要求によって随時通信機能を停止させることができるので、基地局から遠く離れたエリア外にいる場合には通信機能を停止させて、不要な通信用接続情報の送信及び受信動作を行わないようにすることができ、消費電力を低減することができる効果がある。
【００３５】
次に、本発明の別の実施の形態に係る携帯電話端末（別の携帯電話端末）について説明する。
別の携帯電話端末は、図１に示した携帯電話端末とほぼ同様の構成であるが、図１に示した停止認識部１３を設けず、入力部６の通信停止キー６ｄからの入力信号を、他の入力キーからの信号と同様に、制御部１０の内部において認識するようにしているものである。
【００３６】
従って、別の携帯電話端末は、停止認識部１３が無いという点においては図７に示した従来の携帯電話端末と同様であるが、通信停止キー６ｄ及び電子手帳／時計切替キー６ｅが設けられており、また、通信停止キーが押下された場合の制御部１０及び中央処理装置４における処理が従来とは異なっている。
【００３７】
ここで図６を用いて別の携帯電話端末における動作について説明する。図６は、本発明の実施の形態に係る別の携帯電話端末の動作を示す説明図である。尚、図３に示した携帯電話端末の動作と同様の動作については同一の番号を付して説明する。
図６に示すように、使用者が入力部の通信停止キーを押下する（１００）と、入力部の通信停止キーから制御部に対して特定の入力信号が出力され（１０１）、制御部が、特定の入力信号を受けて中央処理装置が認識できる入力信号発生フラグとして中央処理装置に出力し（１０３′）、中央処理装置が入力信号発生フラグに基づいて、複数の入力信号の内の停止要求であることを認識して、制御部に対して無線部及びベースバンド処理部の電源停止命令を発行する（１０４′）。
【００３８】
この後の制御及び動作は図３に示したものと同様であり、制御部が電源制御部に対して電源供給停止の制御を行い（１０５）、それに基づいて電源制御部が無線部２及びベースバンド処理部３への電力供給を停止し（１０６、１０７）、中央処理装置が制御部に対して電源停止表示命令を発行して（１０８）、制御部がこれに基づいて電源停止表示制御を行って（１０９）、表示部が電源停止表示を行うようになっている。このようにして別の携帯電話端末における動作が行われるものである。
【００３９】
本発明の実施の形態に係る別の携帯電話端末によれば、通信停止キーが押下された場合に、制御部が通信停止キーからの入力に応じた入力信号発生フラグを中央処理装置に出力し、中央処理装置が、フラグが通信停止要求であることを認識して、制御部に対して電源停止指示を出力し、制御部が、電源制御部を介して無線部及びベースバンド処理部への電源供給を停止させるようにしているので、電気回路として停止認識部を設けなくても、使用者の要求に従って随時通信機能を停止することができ、利便性を向上させると共に、エリア外での消費電力を低減することができる効果がある。
【産業上の利用可能性】
【００４０】
本発明は、基地局と通信が行えるエリアの外における携帯電話端末の無駄な電力消費を防ぐことができる携帯電話端末の消費電力を低減する方法に好適である。
【符号の説明】
【００４１】
１...無線部、  ２...アンテナ、  ３...ベースバンド処理部、  ４...中央処理装置、  ５...記憶部、  ６...入力部、  ７...表示部、  ８...マイク、  ９...スピーカ、  １０...制御部、  １１...バッテリ、  １２...電源制御部、  １３...停止認識部、  ２０...無線部電源、  ２１...ベースバンド部電源、  ２２...制御部電源、  ２３...中央処理装置電源、  ２４...記憶部電源、  ２５...入力部電源、  ２６...表示部電源
【図１】
0005451581.tif 000002
【図２】
0005451581.tif 000003
【図３】
0005451581.tif 000004
【図４】
0005451581.tif 000005
【図５】
0005451581.tif 000006
【図６】
0005451581.tif 000007
【図７】
0005451581.tif 000008